(57)【要約】【課題】海苔養殖網が回転カッターに巻き込まれるのを防止することができる海苔摘取り機を提供する。【解決手段】ガイドバー１４が、基台１１の長さ方向に伸びて、網牽引ローラ１３とともに海苔養殖網を支持する。ガイドバー１４は、回転カッター１２に対し海苔養殖網を所定の距離だけ離すよう、基台１１に対して水平方向および垂直方向に位置を調節して固定可能である。保持バー１５が、回転カッター１２より高い位置でその長さ方向に沿って伸び、回転カッター１２の周囲に沿ってスライド可能に設けられている。網巻込み防止部材１６が、ガイドバー１４と保持バー１５との間に架け渡されている。網牽引ローラ１３が、海苔養殖網の各ロープを嵌めて回転とともに牽引するためのガイド溝２９ａ，２９ｂ，２９ｃと、回転により各ロープを内側からガイド溝２９ａ，２９ｃへと案内するよう傾斜した複数の突条３０とを有している。【選択図】図１
2006000088.tif 000002
【特許請求の範囲】
【請求項１】
細長い基台にその長さ方向に沿って網牽引ローラと回転カッターとが動力により回転可能に設けられ、前記網牽引ローラの回転により引かれる海苔養殖網の下側で前記回転カッターが回転して海苔養殖網から海苔を採取する海苔摘取り機であって、
ガイドバーと保持バーと網巻込み防止部材とを有し、
前記ガイドバーは前記基台の長さ方向に伸びて前記網牽引ローラとともに海苔養殖網を支持し、前記回転カッターに対し海苔養殖網を所定の距離だけ離すよう前記基台に対して水平方向および垂直方向に位置を調節して固定可能に設けられ、
前記保持バーは前記回転カッターより高い位置でその長さ方向に沿って伸び、前記回転カッターの周囲に沿ってスライド可能に前記基台に設けられ、
前記網巻込み防止部材は前記ガイドバーと前記保持バーとの間に架け渡されていることを、
特徴とする海苔摘取り機。
【請求項２】
前記網巻込み防止部材は前記ガイドバーに対し前記ガイドバーを中心として回転可能に取り付けられ、
前記網巻込み防止部材を前記基台との間に挟んで固定可能な取付ベルトを有することを、
特徴とする請求項１記載の海苔摘取り機。
【請求項３】
前記網巻込み防止部材は前記ガイドバーおよび前記保持バーに対し着脱可能に取り付けられ、前記網巻込み防止部材の代わりに前記ガイドバーに取り付けられて前記回転カッターの上方に伸びる網巻込み防止用の片持部材を有することを、
特徴とする請求項１または２記載の海苔摘取り機。
【請求項４】
前記回転カッターを駆動するためのエンジンと、前記網牽引ローラを駆動するための油圧ポンプとを有し、
前記油圧ポンプは前記エンジンの駆動により駆動されるよう前記エンジンの駆動軸に接続されていることを、
特徴とする請求項１、２または３記載の海苔摘取り機。
【請求項５】
前記海苔養殖網は長さ方向に伸びる２本のロープの間に網を張って成り、
前記網牽引ローラは各ロープを嵌めて回転とともに牽引するためのガイド溝を側面周囲に有し、各ガイド溝より内側の側面周囲に回転により各ロープを内側からガイド溝へと案内するよう傾斜した複数の突条を有することを、
特徴とする請求項１、２、３または４記載の海苔摘取り機。
【発明の詳細な説明】
【技術分野】
【０００１】
本発明は、網牽引ローラの回転により引かれる海苔養殖網の下側で回転カッターが回転して海苔養殖網から海苔を採取する海苔摘取り機に関する。
【背景技術】
【０００２】
従来の海苔摘取り機は、細長い基台にその長さ方向に沿って網牽引ローラと回転カッターとが動力により回転可能に設けられ、網牽引ローラの回転により引かれる海苔養殖網の下側で回転カッターが回転して海苔養殖網から海苔を採取するようになっている。この海苔摘取り機で海苔を効率よく採取するため、基台に位置調整して固定可能なガイドバーを設け、回転カッターに対して海苔養殖網を任意の距離だけ離せるようにしたものが、本発明者により開発されている（例えば、特許文献１参照）。
【０００３】
【特許文献１】実用新案登録第３０６９４９３号公報
【発明の開示】
【発明が解決しようとする課題】
【０００４】
しかしながら、特許文献１に記載の海苔摘取り機は、海苔が回転カッターに引っ掛かると、海苔養殖網が回転カッターに巻き込まれるという課題があった。海苔養殖網が回転カッターに巻き込まれると、これをはずすために海苔の採取作業を中断して海苔養殖網を切断しなければならなかった。海苔養殖網の切断により、海苔養殖網の修繕コストが嵩むとともに、海苔の採取効率も悪くなるという問題を生じる。さらに、海苔養殖網の巻き込みにより回転カッターが故障した場合には、回転カッターの修理コストも嵩むことになる。
【０００５】
本発明は、このような従来の課題に着目してなされたもので、海苔養殖網が回転カッターに巻き込まれるのを防止することができる海苔摘取り機を提供することを目的とする。
【課題を解決するための手段】
【０００６】
上記目的を達成するために、本発明に係る海苔摘取り機は、細長い基台にその長さ方向に沿って網牽引ローラと回転カッターとが動力により回転可能に設けられ、前記網牽引ローラの回転により引かれる海苔養殖網の下側で前記回転カッターが回転して海苔養殖網から海苔を採取する海苔摘取り機であって、ガイドバーと保持バーと網巻込み防止部材とを有し、前記ガイドバーは前記基台の長さ方向に伸びて前記網牽引ローラとともに海苔養殖網を支持し、前記回転カッターに対し海苔養殖網を所定の距離だけ離すよう前記基台に対して水平方向および垂直方向に位置を調節して固定可能に設けられ、前記保持バーは前記回転カッターより高い位置でその長さ方向に沿って伸び、前記回転カッターの周囲に沿ってスライド可能に前記基台に設けられ、前記網巻込み防止部材は前記ガイドバーと前記保持バーとの間に架け渡されていることを、特徴とする。
【０００７】
本発明に係る海苔摘取り機は、船の上に載せて使用される。海苔養殖網から海苔を採取する場合、海苔養殖網をその端部から海苔摘取り機の上に被さるように配置する。このとき、海苔養殖網は、網牽引ローラおよびガイドバーにより支持され、回転カッターに対し所定の距離だけ離れて配置される。海苔養殖網と回転カッターとの間の距離を調節するために、ガイドバーを基台に対して水平方向および垂直方向に位置を調節して固定する。このとき、網巻込み防止部材によりガイドバーと接続している保持バーが回転カッターの周囲に沿ってスライドするため、容易にガイドバーの位置を調節することができる。
【０００８】
網牽引ローラと回転カッターとを動力により回転させる。網牽引ローラの回転により、海苔養殖網がガイドバーから網牽引ローラに向かって相対的に移動する。それと同時に、海苔養殖網の下側で回転カッターが回転し、相対的に移動してくる海苔養殖網から次々に海苔を採取する。ガイドバーが回転カッターに対し海苔養殖網を所定の距離だけ離すことにより、摘取りが深すぎたり浅すぎたりせず、海苔を効率よく採取することができる。また、ガイドバーと保持バーとの間に架け渡された網巻込み防止部材により、海苔養殖網が回転カッターから離されており、海苔養殖網が回転カッターに巻き込まれるのを防止することができる。なお、網巻込み防止部材は複数から成り、ガイドバーと保持バーとの間にその長さ方向に間隔をあけて架け渡されていることが好ましい。
【０００９】
本発明に係る海苔摘取り機で、前記網巻込み防止部材は前記ガイドバーに対し前記ガイドバーを中心として回転可能に取り付けられ、前記網巻込み防止部材を前記基台との間に挟んで固定可能な取付ベルトを有することが好ましい。この場合、網巻込み防止部材がガイドバーに対しガイドバーを中心として回転するため、ガイドバーの位置を調節するとき、水平方向および垂直方向に自由に位置を調節することができる。また、取付ベルトにより、網巻込み防止部材が動かないよう固定することができる。
【００１０】
本発明に係る海苔摘取り機で、前記網巻込み防止部材は前記ガイドバーおよび前記保持バーに対し着脱可能に取り付けられ、前記網巻込み防止部材の代わりに前記ガイドバーに取り付けられて前記回転カッターの上方に伸びる網巻込み防止用の片持部材を有することが好ましい。この片持部材を有する構成では、網巻込み防止部材に代えて片持部材を取り付けて使用したとき、片持部材により海苔養殖網を回転カッターから離すことができるので、海苔養殖網が回転カッターに巻き込まれるのを防止することができる。このとき、ガイドバーと保持バーとの間に架け渡される網巻込み防止部材に比べて、片持部材は海苔養殖網から垂下がる海苔と回転カッターとの間を遮らないため、海苔の摘み残しを生じにくい。
【００１１】
本発明に係る海苔摘取り機は、前記回転カッターを駆動するためのエンジンと、前記網牽引ローラを駆動するための油圧ポンプとを有し、前記油圧ポンプは前記エンジンの駆動により駆動されるよう前記エンジンの駆動軸に接続されていることが好ましい。このエンジンと油圧ポンプとを有する構成では、エンジンの駆動により油圧ポンプを駆動させることができるため、１台のエンジンで回転カッターと網牽引ローラとを同時に駆動させることができる。このため、回転カッター用のエンジンと網牽引ローラ用のエンジンとで２台のエンジンを使用する場合に比べて、製造コストを下げることができるうえ、設置スペースをとらず、船上の作業スペースを広げることができる。
【００１２】
また、本発明に係る海苔摘取り機で、前記海苔養殖網は長さ方向に伸びる２本のロープの間に網を張って成り、前記網牽引ローラは各ロープを嵌めて回転とともに牽引するためのガイド溝を側面周囲に有し、各ガイド溝より内側の側面周囲に回転により各ロープを内側からガイド溝へと案内するよう傾斜した複数の突条を有することが好ましい。このガイド溝と突条とを有する構成で、網牽引ローラがガイド溝に海苔養殖網のロープを嵌めて回転とともに牽引するとき、ロープがガイド溝から内側にはずれても、複数の突条が網牽引ローラの回転とともにロープを傾斜に沿ってガイド溝へと案内し戻すことができる。突条は複数から成るため、突条が１本から成る場合に比べて、ロープをガイド溝に戻すために網牽引ローラが一回転するまで待つ必要がなく、作業効率を高めることができる。
【発明の効果】
【００１３】
本発明によれば、海苔養殖網が回転カッターに巻き込まれるのを防止することができる海苔摘取り機を提供することができる。
【発明を実施するための最良の形態】
【００１４】
以下、図面に基づき、本発明の実施の形態について説明する。
図１乃至図３は、本発明の第１の実施の形態の海苔摘取り機を示している。
図１および図２に示すように、海苔摘取り機１０は、基台１１と回転カッター１２と網牽引ローラ１３とガイドバー１４と保持バー１５と網巻込み防止部材１６とエンジン１７と油圧ポンプ１８と油圧モータ１９と支持部材２０とを有している。海苔摘取り機１０により海苔を摘み取られる海苔養殖網は、長さ方向に平行に伸びる３本のロープの間に網を張って形成されている。
【００１５】
基台１１は、細長い台から成り、１対の側部フレーム２１と連結部２２とを有している。各側部フレーム２１は、脚部２３を有している。連結部２２は、両端が各側部フレーム２１の上部に固定され、各側部フレーム２１を連結している。
【００１６】
回転カッター１２は、基台１１の長さ方向に沿って設けられている。回転カッター１２は、シャフト２４と複数の円板２５とカッター２６とを有している。各円板２５は、中心をシャフト２４が貫通し、シャフト２４の長さ方向に一定の間隔をあけて平行に配置されている。各円板２５は、表面がシャフト２４の長さ方向に対して垂直になるよう、シャフト２４に固定されている。カッター２６は、各円板２５に固定されている。回転カッター１２は、シャフト２４の両端が各側部フレーム２１に回転可能に取り付けられている。
【００１７】
網牽引ローラ１３は、基台１１の長さ方向に沿って設けられている。網牽引ローラ１３は、１対の支持部２７と回転部２８とを有している。網牽引ローラ１３は、基台１１の斜め上方に配置されるよう、各支持部２７が各側部フレーム２１の上部に固定されている。回転部２８は、ほぼ円柱形状を成し、両端部が各支持部２７に回転可能に取り付けられている。回転部２８は、基台１１側で下から上に向かって回転するよう構成されている。回転部２８は、３本のガイド溝２９ａ，２９ｂ，２９ｃと複数の突条３０とを有している。各ガイド溝２９ａ，２９ｂ，２９ｃは、回転部２８の中央および両端の側面周囲に、回転方向に沿って設けられている。各ガイド溝２９ａ，２９ｂ，２９ｃは、海苔養殖網の３本のロープを嵌めて回転とともに牽引するよう構成されている。各突条３０は、回転部２８の両端のガイド溝２９ａ，２９ｃより内側の側面周囲に設けられている。各突条３０は、各ロープを内側からガイド溝２９ａ，２９ｃへと案内するよう、ガイド溝２９ａ，２９ｃからその垂直方向より回転方向側に傾斜して伸びている。
【００１８】
ガイドバー１４は、網牽引ローラ１３とともに海苔養殖網を支持するよう、基台１１に対して網牽引ローラ１３と反対側に、基台１１の長さ方向に伸びて設けられている。ガイドバー１４は、それぞれ１対の水平筒体３１と水平パイプ３２と垂直筒体３３と垂直パイプ３４とを有している。図２に示すように、各水平筒体３１は、基台１１の幅方向に水平に伸びるよう、各側部フレーム２１に固定されている。水平パイプ３２は、水平筒体３１に挿入され、基台１１の幅方向に水平に移動させてネジ３５により任意の位置で固定可能に設けられている。図１に示すように、垂直筒体３３は、水平パイプ３２に対し垂直となるよう水平パイプ３２の正面側先端に固定されている。垂直パイプ３４は、垂直筒体３３に挿入され、上下方向に移動させてネジ３６により任意の位置で固定可能に設けられている。こうして、ガイドバー１４は、回転カッター１２に対し海苔養殖網を所定の距離だけ離すよう、基台１１に対して水平方向および垂直方向に位置を調節して固定可能に設けられている。
【００１９】
図１および図２に示すように、保持バー１５は、断面が円形の棒材から成り、回転カッター１２の周囲に沿ってスライド可能に、両端が各側部フレーム２１の上部に固定されている。保持バー１５は、回転カッター１２より高い位置で、その長さ方向に沿って伸びている。
網巻込み防止部材１６は６本の棒材から成り、ガイドバー１４と保持バー１５との間にその長さ方向に間隔をあけて架け渡されている。網巻込み防止部材１６は、ガイドバー１４および保持バー１５に対し着脱可能に取り付けられている。また、網巻込み防止部材１６は、ガイドバー１４に対しガイドバー１４を中心として回転可能に取り付けられている。
【００２０】
図１乃至図３に示すように、エンジン１７は、基台１１の側部に設けられ、駆動軸３７と回転ベルト３８とを有している。回転ベルト３８は、駆動軸３７と回転カッター１２のシャフト２４とに巻き付けられている。エンジン１７は、ガソリンを燃料として駆動軸３７を回転させ、回転ベルト３８を介して回転カッター１２を回転可能である。
【００２１】
油圧ポンプ１８は、エンジン１７と並んで設けられ、回転軸３９と回転ベルト４０とを有している。図３に示すように、回転ベルト４０は、エンジン１７の駆動軸３７の回転により回転軸３９が回転するよう、回転軸３９と駆動軸３７とに巻き付けられている。こうして、油圧ポンプ１８は、エンジン１７の駆動により駆動されるよう構成されている。
図１および図２に示すように、油圧モータ１９は、網牽引ローラ１３の一方の支持部２７に取り付けられ、１対の油圧パイプ４１を有している。油圧モータ１９は、各油圧パイプ４１を介して油圧ポンプ１８に接続され、油圧ポンプ１８からの油圧を受けて網牽引ローラ１３の回転部２８を回転可能に構成されている。
【００２２】
支持部材２０は４本の棒材から成り、ガイドバー１４と保持バー１５との間に架け渡されている。支持部材２０は、ガイドバー１４および保持バー１５の中央部に２本、両端部に１本ずつ取り付けられている。また、支持部材２０は、ガイドバー１４に対しガイドバー１４を中心として回転可能に取り付けられている。
このような構成により、海苔摘取り機１０は、網牽引ローラ１３の回転により引かれる海苔養殖網の下側で回転カッター１２が回転して海苔養殖網から海苔を採取するようになっている。
【００２３】
次に、作用について説明する。
海苔摘取り機１０は、船の上に載せて使用される。海苔養殖網から海苔を採取する場合、海苔養殖網をその端部から海苔摘取り機１０の上に被さるように配置し、海苔養殖網の各ロープを網牽引ローラ１３の各ガイド溝２９ａ，２９ｂ，２９ｃに嵌める。このとき、海苔養殖網は、網牽引ローラ１３およびガイドバー１４により支持され、回転カッター１２に対し所定の距離だけ離れて配置される。海苔養殖網と回転カッター１２との間の距離を調節するために、ガイドバー１４を基台１１に対して水平方向および垂直方向に位置を調節してネジ３５，３６で固定する。このとき、網巻込み防止部材１６および支持部材２０によりガイドバー１４と接続している保持バー１５が回転カッター１２の周囲に沿ってスライドするため、容易にガイドバー１４の位置を調節することができる。また、網巻込み防止部材１６および支持部材２０がガイドバー１４に対しガイドバー１４を中心として回転するため、水平方向および垂直方向に自由に位置を調節することができる。なお、ガイドバー１４の位置の調節は、海苔の摘取り作業の際にも行うことができるので、作業効率を向上させることができる。
【００２４】
エンジン１７を駆動させ、網牽引ローラ１３と回転カッター１２と回転させる。このとき、エンジン１７の駆動により油圧ポンプ１８を駆動させることができるため、１台のエンジン１７で回転カッター１２と網牽引ローラ１３とを同時に駆動させることができる。このため、回転カッター１２用のエンジン１７と網牽引ローラ１３用のエンジン１７とで２台のエンジン１７を使用する場合に比べて、製造コストを下げることができるうえ、設置スペースをとらず、船上の作業スペースを広げることができる。
【００２５】
網牽引ローラ１３の回転とともに海苔養殖網が牽引され、ガイドバー１４から網牽引ローラ１３に向かって相対的に移動する。このとき、ロープがガイド溝２９ａ，２９ｃから内側にはずれても、複数の突条３０が網牽引ローラ１３の回転とともにロープを傾斜に沿ってガイド溝２９ａ，２９ｃへと案内し戻すことができる。突条３０は複数から成るため、突条３０が１本から成る場合に比べて、ロープをガイド溝２９ａ，２９ｃに戻すために網牽引ローラ１３が一回転するまで待つ必要がなく、作業効率を高めることができる。
【００２６】
海苔養殖網の移動と同時に、その下側で回転カッター１２が回転し、相対的に移動してくる海苔養殖網から次々に海苔を採取する。ガイドバー１４が回転カッター１２に対し海苔養殖網を所定の距離だけ離すことにより、摘取りが深すぎたり浅すぎたりせず、海苔を効率よく採取することができる。また、ガイドバー１４と保持バー１５との間に架け渡された網巻込み防止部材１６により、海苔養殖網が回転カッター１２から離されており、海苔養殖網が回転カッター１２に巻き込まれるのを防止することができる。海苔養殖網が回転カッター１２に巻き込まれると、網を切断したうえで修繕しなければならなくなり、作業時間のかなりの損失を生じていたが、網巻込み防止部材１６によりそのような無駄を防止することができる。
【００２７】
図４は、本発明の第２の実施の形態の海苔摘取り機を示している。
図４に示すように、海苔摘取り機５０は、基台１１と回転カッター１２と網牽引ローラ１３とガイドバー１４と保持バー１５と網巻込み防止用の片持部材５１とエンジン１７と油圧ポンプ１８と油圧モータ１９と支持部材２０とを有している。
なお、海苔摘取り機５０の基台１１、回転カッター１２、網牽引ローラ１３、ガイドバー１４、保持バー１５、エンジン１７、油圧ポンプ１８、油圧モータ１９、支持部材２０等の構成は、本発明の第１の実施の形態の構成と同様であり、同一の部材には同一の符号を付して重複する説明を省略する。
【００２８】
片持部材５１は、本発明の第１の実施の形態の網巻込み防止部材１６より短く形成され、網巻込み防止部材１６の代わりにガイドバー１４に取り付けられている。片持部材５１は６本の棒材から成り、ガイドバー１４の長さ方向に間隔をあけて着脱可能に取り付けられている。片持部材５１は、回転カッター１２の上方に伸びるよう、ガイドバー１４に取り付けられている。
【００２９】
次に、作用について説明する。
図４に示すように、海苔摘取り機５０は、片持部材５１により海苔養殖網を回転カッター１２から離すことができるので、海苔養殖網が回転カッター１２に巻き込まれるのを防止することができる。また、ガイドバー１４と保持バー１５との間に架け渡される網巻込み防止部材１６に比べて、片持部材５１は海苔養殖網から垂下がる海苔と回転カッター１２との間を遮らないため、海苔の摘み残しを生じにくい。
【図面の簡単な説明】
【００３０】
【図１】本発明の第１の実施の形態の海苔摘取り機を示す正面図である。
【図２】図１に示す海苔摘取り機の平面図である。
【図３】図１に示す海苔摘取り機のエンジンおよび油圧ポンプを示す側面図である。
【図４】本発明の第２の実施の形態の海苔摘取り機を示す正面図である。
【符号の説明】
【００３１】
１０  海苔摘取り機
１１  基台
１２  回転カッター
１３  網牽引ローラ
１４  ガイドバー
１５  保持バー
１６  網巻込み防止部材
１７  エンジン
１８  油圧ポンプ
１９  油圧モータ
２０  支持部材
２１  側部フレーム
２２  連結部
２３  脚部
２４  シャフト
２５  円板
２６  カッター
２７  支持部
２８  回転部
２９ａ，２９ｂ，２９ｃ  ガイド溝
３０  突条
３１  水平筒体
３２  水平パイプ
３３  垂直筒体
３４  垂直パイプ
３５，３６  ネジ
３７  駆動軸
３８，４０  回転ベルト
３９  回転軸
４１  油圧パイプ
【図１】
2006000088.tif 000003
【図２】
2006000088.tif 000004
【図３】
2006000088.tif 000005
【図４】
2006000088.tif 000006